(57)【要約】【課題】特定波長のレーザ光を安定して出射可能であるレーザ出力装置を低コストで製造する。【解決手段】外側筐体２５０内に、光ファイバ２３０のファイバ・ブラッグ・グレーティング２４０が形成された部分と半導体レーザ素子２１０を含むレーザ光源２２０とが収納された内側筐体が収納されている。レーザ光源２２０に当接するようにペルチェ素子２７０が配置されている。外側筐体２５０と内側筐体２６０との間の隙間に熱伝導グリス３００が充填されている。【選択図】        図３
2005019916.tif 000002
【特許請求の範囲】
【請求項１】
半導体レーザ素子と、
入射したレーザ光のなかの特定波長のレーザ光だけを出射可能なファイバ・ブラッグ・グレーティングが形成された部分を有しており、前記半導体レーザ素子から出射されたレーザ光を受光する光ファイバと、
前記光ファイバの少なくとも前記ファイバ・ブラッグ・グレーティングが形成された部分と前記半導体レーザ素子とが内部に収納された第１の筐体と、
前記第１の筐体の内部又はその周囲に配置された温度調節装置と、
前記光ファイバの前記ファイバ・ブラッグ・グレーティングが形成された部分と前記半導体レーザ素子との間の熱伝導率が空気の熱伝導率よりも大きくなるように、前記第１の筐体内に配置された熱伝導部材とを備えていることを特徴とするレーザ出力装置。
【請求項２】
前記第１の筐体内に配置されており、前記光ファイバの少なくとも前記ファイバ・ブラッグ・グレーティングが形成された部分と前記半導体レーザ素子とが収納された第２の筐体をさらに備えており、前記第１の筐体と前記第２の筐体との間に前記熱伝導部材が配置されていることを特徴とする請求項１に記載のレーザ出力装置。
【請求項３】
前記第１の筐体と前記光ファイバとの間がシール部材で塞がれていることを特徴とする請求項１または２に記載のレーザ出力装置。
【請求項４】
請求項１〜３のいずれか１項に記載のレーザ出力装置を備えた写真処理装置。
【発明の詳細な説明】
【０００１】
【発明の属する技術分野】
本発明は、半導体レーザを備えたレーザ出力装置に関する。
【０００２】
【従来の技術】
レーザ出力装置には、レーザ光を出射する半導体レーザ素子が配設されている。ここで、半導体レーザ素子においては、周囲温度の変化等によって半導体レーザ素子から出射されるレーザ光の波長が変動する、いわゆるモードホップという現象が生じる。従って、かかる現象が生じないように、半導体レーザ素子は、その近傍に配置されたペルチェ素子などの温度調節装置によって、適正な温度範囲内において温調されることが多い。また、半導体レーザ素子から出射されるレーザ光を、入射したレーザ光のなかの特定波長のレーザ光だけを出射可能な光フィルタとして機能するファイバ・ブラッグ・グレーティング（Ｆｉｂｅｒ  Ｂｒａｇｇ  Ｇｒａｔｉｎｇ；以下「ＦＢＧ」と称する）が形成された光ファイバ内を通過させることによって、レーザ光の波長を安定化させる技術が知られている（例えば、特許文献１参照）。
【０００３】
【特許文献１】
特開２００３−１０１１３７号公報（第２頁、第１図）
【０００４】
【発明が解決しようとする課題】
半導体レーザ素子から出射されるレーザ光を用いて印画紙上に画像の潜像を形成する写真処理装置では、レーザ光の波長の変動が画像の悪化の原因となるため、半導体レーザ素子から出射されるレーザ光の波長を安定化させることが望ましい。従って、上記のような写真処理装置において、レーザ光の波長を安定化させて高画質な画像が得られるように、その一部にＦＢＧが形成された光ファイバを備えたレーザ出力装置を用いることが考えられる。
【０００５】
しかしながら、光ファイバのＦＢＧが形成された部分に温度分布がある場合には、ＦＢＧが反射するスペクトルが広がり、ＦＢＧから出射されるレーザ光の波長が安定しなくなり、画像が劣化することがある。従って、より高画質な画像を得るためには、半導体レーザ素子の温度が適正な温度範囲内に調節されると共に、光ファイバのＦＢＧが形成された部分の温度についても適正な温度範囲内に調節されることが好ましい。そのためには、半導体レーザ素子の温度を調節するための温度調節装置と、光ファイバのＦＢＧが形成された部分の温度を調節するための温度調節装置とが必要となって、写真処置装置の製造コストが高くなる。
【０００６】
そこで、本発明の目的は、特定波長のレーザ光を安定して出射可能であって、かつ低コストで製造することができるレーザ出力装置およびこれを備えた写真処理装置を提供することである。
【０００７】
【課題を解決するための手段】
本発明のレーザ出力装置は、半導体レーザ素子と、入射したレーザ光のなかの特定波長のレーザ光だけを出射可能なファイバ・ブラッグ・グレーティングが形成された部分を有しており、前記半導体レーザ素子から出射されたレーザ光を受光する光ファイバと、前記光ファイバの少なくとも前記ファイバ・ブラッグ・グレーティングが形成された部分と前記半導体レーザ素子とが内部に収納された第１の筐体と、前記第１の筐体の内部又はその周囲に配置された温度調節装置と、前記光ファイバの前記ファイバ・ブラッグ・グレーティングが形成された部分と前記半導体レーザ素子との間の熱伝導率が空気の熱伝導率よりも大きくなるように、前記第１の筐体内に配置された熱伝導部材とを備えている。
【０００８】
この構成によると、光ファイバのファイバ・ブラッグ・グレーティングが形成された部分と半導体レーザ素子とを適正な温度範囲内に維持するための、温度調節装置の数を減らすことができる。従って、特定波長のレーザ光を安定して出力可能なレーザ出力装置を、低コストで製造することができる。
【０００９】
また、本発明のレーザ出力装置では、前記第１の筐体内に配置されており、前記光ファイバの少なくとも前記ファイバ・ブラッグ・グレーティングが形成された部分と前記半導体レーザ素子とが収納された第２の筐体をさらに備えており、前記第１の筐体と前記第２の筐体との間に前記熱伝導部材が配置されていることが好ましい。
【００１０】
この構成によると、第１の筐体内に熱伝導部材を配置する際に、半導体レーザ素子や光ファイバ等の部品が損壊するのを防ぐことができる。
【００１１】
また、本発明のレーザ出力装置では、前記第１の筐体と前記光ファイバとの間がシール部材で塞がれていることが好ましい。
【００１２】
この構成によると、第１の筐体内に配置された熱伝導部材が揮発性を有する材料から形成されている場合に、熱伝導部材から揮発するガスが第１の筐体の外部へ流出することがなくなる。従って、熱伝導部材から揮発するガスが、レーザ出力装置の周辺機器に悪影響を与えるのを防止することができる。
【００１３】
また、本発明の写真処理装置は、上述のようなレーザ出力装置を備えている。この構成によると、写真処理装置の製造コストを低減することができると共に、安定した波長のレーザ光によって画像を形成することによって、画像の品質を向上させることができる。
【００１４】
【発明の実施の形態】
以下、本発明の好適な一実施の形態について、図面を参照しつつ説明する。図１は本発明の実施の形態に係る写真処理装置の外観斜視図である。図２は図１に示す写真処理装置に含まれるレーザ露光装置内部の概略側面図である。
【００１５】
図１に示す写真処理装置１は、フィルム（ネガ・ポジ）からイメージスキャナで読み取られた画像データやデジタルカメラで撮影された画像データ、パソコンで作成された画像データに基づいて印画紙に露光するレーザ露光装置１０と、ロール状に巻回された印画紙をレーザ露光装置１０に向けて送り出し可能に収納する感光材収納部２０と、露光後の印画紙を現像、漂白定着および安定処理する現像部３０、現像部３０において処理された印画紙を乾燥する乾燥部４０及びこれら部材間に亘る印画紙を搬送する搬送系（図示しない）等から構成されている。
【００１６】
レーザ露光装置１０は、図２に示すように、筐体１００内に、レーザ光を出射する半導体レーザ素子２１０（図３参照）を含むレーザ出力装置２００と、レーザ出力装置２００に対応した音響光学変調器（ＡＯＭ）４１０と、ＡＯＭ４１０から出射されたレーザ光に対応したスリット４２０と、スリット４２０を通過したレーザ光に対応したエキスパンダレンズ４３０と、コリメータレンズ４４０およびシリンドリカルレンズ４５０と、シリンドリカルレンズ４５０から出射されたレーザ光を走査するポリゴンミラー４６０と、ポリゴンミラー４６０で反射されたレーザ光が通過させられるｆθレンズ４７０と、２つの反射ミラー４８０、４９０とを備えている。
【００１７】
レーザ出力装置２００は、レーザ載置台６００の上に載置されており、レーザ出力装置２００から出射されたレーザ光が、ＡＯＭ４１０に入射するように配置されている。なお、レーザ出力装置２００の詳細な構成については、後で詳述する。
【００１８】
ＡＯＭ４１０は、回折格子型の光変調器であって、レーザ光を、画像信号に基づいて変調されていない０次回折光と、画像信号に基づいて変調された１次回折光とに振り分けて出射する。
【００１９】
スリット４２０は、ＡＯＭ４１０で生成された１次回折光の幅を規制するためのものである。エキスパンダレンズ４３０は、スリット４２０から出射されたそれぞれの１次回折光の径を拡大するためのものである。コリメータレンズ４４０は、エキスパンダレンズ４３０で拡大された１次回折光を平行な光にするためのものである。また、シリンドリカルレンズ４５０は、それぞれの１次回折光の主走査方向の径のみを縮小するためのものである。
【００２０】
ポリゴンミラー４６０は、正六角柱のそれぞれの側面に反射ミラーが配置されたもので、正六角柱の軸まわりを一定速度で回転可能となるようになっている。なお、ポリゴンミラー４６０は、図２において図示を簡略化している。したがって、シリンドリカルレンズ４５０を通過した１次回折光は、正六角柱の１つの側面に配置された反射ミラーで反射されることによって、ポリゴンミラー４６０の回転に伴って走査される。また、ポリゴンミラー４６０と印画紙５００との間に配置されたｆθレンズ４７０は、ポリゴンミラー４６０で反射された１次回折光の副走査方向の径のみを縮小させた後、反射ミラー４８０に向かって出射する。反射ミラー４８０に入射した１次回折光は、反射ミラー４９０によって印画紙５００に向かう方向に反射され、印画紙５００上に結像する。
【００２１】
次に、本実施の形態に係るレーザ出力装置２００の詳細な構造について、図３に基づいて説明する。図３は、図２に示すレーザ出力装置２００の詳細な構造を模式的に描いた図である。
【００２２】
図３に示すレーザ出力装置２００は、半導体レーザ素子２１０を有するレーザ光源２２０と、その一端がレーザ光源２２０に接続された光ファイバ２３０と、レーザ光源２２０および光ファイバ２３０の一端部近傍を収納する内側筐体２６０と、内側筐体２６０を収納する外側筐体２５０と、温度調節装置として機能するペルチェ素子２７０とを有している。
【００２３】
レーザ光源２２０は、略円柱形状部材の台座２２１と、台座２２１の一側面に取り付けられた略円柱形状のキャップ２２２とを有している。また、キャップ２２２内には半導体レーザ素子２１０が収納されており、キャップ２２２の出力面にはレンズ２２３が配置されている。
【００２４】
光ファイバ２３０は、その一端部がレーザ光源２２０のレンズ２２３と接続されている。従って、レーザ光源２２０のレンズ２２３より出射されるレーザ光は、光ファイバ２３０の一端部からその内部に入射されて、その他端部に向けて伝送される。また、光ファイバ２３０の一端部近傍には、レーザ光源２２０から出射されるレーザ光の波長を安定化させるためのＦＢＧ２４０が形成されている。
【００２５】
ＦＢＧ２４０は、光ファイバ２３０の一部分のコアに形成された周期的な屈折率変調であって、入射光のなかの特定波長のレーザ光だけを選択的に透過させ、それ以外の波長のレーザ光を反射する、つまり、特定波長以外の波長のレーザ光の透過を抑制する光フィルタとして機能するものである。また、ＦＢＧ２４０として、例えば回折格子が形成されている場合には、回折格子のピッチ等を変更することによって、透過させるレーザ光の波長を適宜変更することが可能である。
【００２６】
なお、光ファイバ２３０のＦＢＧ２４０が形成された部分の温度分布が大きい場合には、温度の高い部分で熱膨張が起こり、回折格子のピッチが一定ではなくなることがある。その結果、ＦＢＧ２４０により反射されるレーザ光の波長のスペクトルが広がり、ＦＢＧ２４０の反射率は低下する。また、光ファイバ２３０のＦＢＧ２４０が形成された部分の周囲温度が時間的に変化した場合には、それに伴って、ＦＢＧ２４０の回折格子のピッチが時間的に変化する。その結果、ＦＢＧ２４０から出射されるレーザ光の波長も時間的に変化してしまう。従って、ＦＢＧ２４０から特定波長のレーザ光を安定して出射するためには、光ファイバ２３０のＦＢＧ２４０が形成された部分の温度を適正な温度範囲内に維持することによって、その部分の温度分布があまり大きくならないようにすることが好ましい。
【００２７】
内側筐体２６０は、金属製の略円筒形状部材であり、大径の大径筒部２６１と小径の小径筒部２６２とから構成されている。ここで、内側筐体２６０内には、大径筒部２６１に対応する部分にレーザ光源２２０が、小径筒部２６２に対応する部分に光ファイバ２３０の一端部近傍がそれぞれ収納されている。ここで、大径筒部２６１の径は、レーザ光源２２０の台座２２１の径よりも大きいため、大径筒部２６１の内側面とレーザ光源２２０との間には空隙が形成されている。また、小径筒部２６２の径は、光ファイバ２３０の径よりも大きいため、小径筒部２６２の内側面と光ファイバ２３０との間には空隙が形成されている。
【００２８】
内側筐体２６０の小径筒部２６２の側面（図３では左端面）には、光ファイバ２３０の径とほぼ同じ径を有する孔２６３が形成されている。そして、内側筐体２６０内にその一端部近傍が収納された光ファイバ２３０は、この孔２６３に嵌挿されることによって、内側筐体２６０の外部に連通しており、外側筐体２５０の外部への光導波路を形成している。
【００２９】
内側筐体２６０の大径筒部２６１の側面（図３では右端面）には、レーザ光源２２０の台座２２１とほぼ同じ径を有する開口部２６４が形成されている。そして、レーザ光源２２０の台座２２１が開口部２６４内にはめ込まれている。
【００３０】
外側筐体２５０は、金属製の略円筒形状部材であり、その一端面（図３では左端面）は閉塞されないで、開口部２５１となっている。また、外側筐体２５０の他端面（図３では右端面）には、内側筐体２６０の大径筒部２６１の径とほぼ同じ径を有する開口部２５２が形成されている。そして、内側筐体２６０の大径筒部２６１が、その開口部２５２内はめ込まれている。なお、外側筐体２５０の内径は、内側筐体２６０の外径よりも大きいため、外側筐体２５０の内側面と内側筐体２６０の外側面と間には空隙が形成されている。
【００３１】
ペルチェ素子２７０は、外側筐体２５０の他端面近傍において、レーザ光源２２０の台座２２１に当接するように配置されている。ペルチェ素子２７０は、ゼーベック効果を有するｐ型半導体とｎ型半導体とが方向を揃えて並べられたものであって、この素子に電流を流すと、一方の面が吸熱し、他方が放熱する機能を有している。つまり、ペルチェ素子２７０は、加熱機能および冷却機能を有している。従って、電流の大きさと方向を制御することにより、レーザ光源２２０等の温度制御を行うことができる。なお、レーザ光源２２０およびペルチェ素子２７０には、それらを制御するために気密端子２９０が接続されている。
【００３２】
また、外側筐体２５０と内側筐体２６０との間の空隙には、熱伝導グリス（シリコングリス）３００が充填されている。ここで、熱伝導グリス３００は、空気の熱伝導率よりも大きな熱伝導率を有すると共に、揮発性を有している。
【００３３】
そして、外側筐体２５０の開口部２５１と、それを貫通している光ファイバ２３０との間の隙間がシール部材２８０により塞がれている。従って、外側筐体２５０の内側面、内側筐体２６０の外側面およびシール部材２８０で囲まれることによって外部と連通しない空間内には、熱伝導グリス３００が隙間なく充填されている。
【００３４】
ここで、上述したように、熱伝導グリス３００は空気の熱伝導率よりも大きな熱伝導率を有しているため、外側筐体２５０内に熱伝導グリス３００が充填されていない場合と比較して、半導体レーザ素子２１０と光ファイバ２３０のＦＢＧ２４０が形成された部分との間の熱伝導率が大きくなる。その結果、半導体レーザ素子２１０と光ファイバ２３０のＦＢＧ２４０が形成された部分との間を熱が伝達され易くなる。
【００３５】
従って、ペルチェ素子２７０によって半導体レーザ素子２１０の温度が所定の温度範囲内に維持される場合には、光ファイバ２３０のＦＢＧ２４０が形成された部分の温度も所定の温度範囲内に維持される。つまり、レーザ出力装置２００に備えられたペルチェ素子２７０は、半導体レーザ素子２１０の温度を調節可能であると共に、光ファイバ２３０のＦＢＧ２４０が形成された部分の温度も調節可能である。
【００３６】
なお、内側筐体２６０の大径筒部２６１の内側面とレーザ光源２２０との間および内側筐体２６０の小径筒部２６２の内側面と光ファイバ２３０との間に形成される空隙が少ない場合は、それらが多い場合と比べて、半導体レーザ素子２１０と熱伝導グリス３００との間および光ファイバ２３０のＦＢＧ２４０が形成された部分と熱伝導グリス３００との間の距離が近くなる。これにより、半導体レーザ素子２１０と光ファイバ２３０のＦＢＧ２４０が形成された部分との間の熱伝導率が一層大きくなる。その結果、両者間を熱が更に伝達されやすくなる。従って、本実施の形態においては、内側筐体２６０の大径筒部２６１の内側面とレーザ光源２２０との間および内側筐体２６０の小径筒部２６２の内側面と光ファイバ２３０との間に形成される空隙は極力少ない方が好ましい。
【００３７】
以上のように、本実施の形態のレーザ出力装置２００を備えた写真処理装置１では、光ファイバ２３０のＦＢＧ２４０が形成された部分と半導体レーザ素子２１０とが収納された内側筐体２６０と、外側筐体２５０との間に、空気の熱伝導率よりも大きな熱伝導率を有する熱伝導グリス３００が充填されている。従って、半導体レーザ素子２１０と光ファイバ２３０のＦＢＧ２４０が形成された部分との間を熱が伝達され易くなる。その結果、ペルチェ素子２７０によって、半導体レーザ素子２１０と光ファイバ２３０のＦＢＧ２４０が形成された部分のそれぞれの温度を所定の温度範囲内に維持することが可能となる。このとき、半導体レーザ素子２１０から出射されるレーザ光の波長はほぼ一定となると共に、光ファイバ２３０のＦＢＧ２４０が形成された部分から出射されるレーザ光の波長もほぼ一定となる。従って、特定波長のレーザ光を安定して出力可能なレーザ出力装置２００を低コストで製造することができるので、写真処理装置１の製造コストを低減することができる。また、写真処理装置１では、安定した波長のレーザ光によって画像を形成することによって、画像の品質を向上させることができる。
【００３８】
また、半導体レーザ素子２１０および光ファイバ２３０のＦＢＧ２４０が形成された部分が内側筐体２６０内に収納されているため、外側筐体２５０内に熱伝導グリス３００を充填する際に、半導体レーザ素子２１０や光ファイバ２３０等の部品が損壊するのを防ぐことができる。
【００３９】
また、外側筐体２５０の開口部２５１と光ファイバ２３０との間の隙間がシール部材２８０により塞がれており、熱伝導グリス３００が充填された空間は外部と連通しない空間となっている。従って、熱伝導グリス３００から揮発するガスが外側筐体２５０の外部へ流出することがなくなる。その結果、熱伝導グリス３００から揮発するガスが、レーザ出力装置２００の周辺機器に悪影響を与えるのを防止することができる。
【００４０】
以上、本発明の好適な一実施の形態について説明したが、本発明は上述の実施の形態に限られるものではなく、特許請求の範囲に記載した限りにおいて、様々な設計変更を行うことが可能なものである。例えば、上述の実施の形態では、外側筐体２５０と内側筐体２６０との間の空隙に熱伝導グリス３００が充填されているが、光ファイバ２３０のＦＢＧ２４０が形成された部分と半導体レーザ素子２１０との間の熱伝導率が空気の熱伝導率よりも大きくなるように、外側筐体２５０内に熱伝導部材が配置されていれば、熱伝導部材は任意に変更することができる。従って、熱伝導部材としては、空気の熱伝導率よりも大きな熱伝導率を有する固体であってもよいし、液体であってもよく、例えば金属、半田を溶かしたもの、水等であってもよい。ここで、熱伝導部材は、例えば光ファイバ２３０のＦＢＧ２４０が形成された部分と半導体レーザ素子２１０の両方に密着する金属部品であってもよいが、外側筐体２５０内に充填する際に容易に隙間なく配置することを考えると、熱伝導部材が流動性を有している方が好ましい。
【００４１】
また、熱伝導グリス３００は、必ずしも外側筐体２５０と内側筐体２６０との間に隙間なく充填される必要はなく、光ファイバ２３０のＦＢＧ２４０が形成された部分と半導体レーザ素子２１０との間の熱伝導率が空気の熱伝導率よりも大きくなる範囲で、外側筐体２５０内に部分的に配置されてもよい。
【００４２】
また、上述の実施の形態では、１つの温度調節装置であるペルチェ素子２７０を用いて、光ファイバ２３０のＦＢＧ２４０が形成された部分および半導体レーザ素子２１０のそれぞれの温度を調節しているが、温度調節装置は、ペルチェ素子以外のものであってもよい。従って、温度調節装置は、必ずしも加熱機能および冷却機能を有するものである必要はなく、加熱機能および冷却機能の少なくともいずれか一方を有していればよい。また、温度調節装置として、複数のペルチェ素子が用いられてもよい。
【００４３】
また、上述の実施の形態では、ペルチェ素子２７０は、外側筐体内２５０の周囲において、レーザ出力装置２００の台座２２１に当接するように配置されているが、光ファイバ２３０のＦＢＧ２４０が形成された部分および半導体レーザ素子２１０のそれぞれの温度を調節可能な範囲で、ペルチェ素子２７０の配置は任意に変更することができる。従って、ペルチェ素子は、外側筐体内２５０の内部に配置されてもよい。
【００４４】
また、上述の実施の形態では、レーザ出力装置２００が、レーザ光源２２０と光ファイバ２３０のＦＢＧ２４０が形成された部分が収納された内側筐体２６０を備えているが、必ずしも内側筐体２６０を備えていなくてもよい。従って、レーザ光源２２０や光ファイバ２３０に接触するように熱伝導グリス３００が充填されてもよい。
【００４５】
また、上述の実施の形態では、外側筐体２５０の開口部２５１と光ファイバ２３０との間の隙間がシール部材２８０により塞がれているが、この隙間は必ずしも塞がれていなくてもよい。
【００４６】
また、上述の実施の形態では、１つの波長のレーザ光を出力可能なレーザ出力装置を１つ備えており白黒の画像を形成する写真処理装置１について説明しているが、１つの波長のレーザ光を出力可能なレーザ出力装置を３つ備えておりカラーの画像を形成する写真処理装置であってもよい。
【００４７】
また、上述の実施の形態では、写真処理装置１に備えられたレーザ出力装置２００について示しているが、本発明のレーザ出力装置は、写真処理装置に限らず、レーザ光を使用して画像の露光が行われる機器であればレーザプリンタやその他のどのような機器であっても適用することが可能である。
【００４８】
【発明の効果】
本発明のレーザ出力装置では、光ファイバのＦＢＧが形成された部分および半導体レーザ素子のそれぞれの温度をより少ない温度調節装置で調節することができる。従って、特定の波長のレーザ光を安定して出力することができるレーザ出力装置を低コストで製造することができる。
【図面の簡単な説明】
【図１】本発明の実施の形態に係る写真処理装置の外観斜視図である。
【図２】図１に示す写真処理装置に含まれるレーザ露光装置内部の概略側面図である。
【図３】図２に示すレーザ出力装置の詳細な構造を模式的に描いた図である。
【符号の説明】
１  写真処理装置
１０  レーザ露光装置
２００  レーザ出力装置
２１０  半導体レーザ素子
２２０  レーザ光源
２３０  光ファイバ
２４０  ファイバ・ブラッグ・グレーティング（ＦＢＧ）
２５０  第１の筐体（外側筐体）
２６０  第２の筐体（内側筐体）
２７０  ペルチェ素子（温度調節装置）
２８０  シール部材
３００  熱伝導グリス（熱伝導部材）
【図１】
2005019916.tif 000003
【図２】
2005019916.tif 000004
【図３】
2005019916.tif 000005